(57)【要約】【課題】  この発明は稀に起こる電気の減衰が心配な夜間路上での非常時に、パラシュートのようにパッと広げて左右のヘッドレストに被せて使用する、２次防災を目的とする照明付きヘッドレストリフレクターを提供する。【解決手段】  自動車の左右の座席のヘッドレストにそれぞれ帽子のように袋を被せて引っ掛け渡した格好で装着可能な、図に於いて左右一対の、袋状空間２を持つ、帯状の布体３であって、該布体の外側表面に設けた、再帰性反射材４と該布体の一部分に設けた照明機構５から構成し、該照明機構を、帯状の布体３の中間部分である、平行する２ルートの布体部分による２次張り調整機構６の帯巾が小さい片方の布体の水平区間中に、一対の面ファスナー７による、絞り式係止調整部８を設け、該部分によって小型ＬＥＤライト９を挟んで所定の照射角度を保って支持し、帯巾が大きいもう片方の布体の水平区間中の表面に光を照射し、該表面と車の天井面とで乱反射させる間接照明１０とすることを特徴とする。【選択図】図１
2018131191.tif 000002
【特許請求の範囲】
【請求項１】
自動車の左右の座席のヘッドレストにそれぞれ帽子のように袋を被せて引っ掛け渡した格好で装着可能な、図に於いて左右一対の、袋状空間（２）を持つ、帯状の布体（３）であって、該布体の外側表面に設けた、再帰性反射材（４）と該布体の一部分に設けた、照明機構（５）から構成される照明付きヘッドレストリフレクター。
【請求項２】
照明機構（５）を、帯状の布体（３）の中間部分である、平行する２ルートの布体部分による２次張り調整機構（６）の帯巾が小さい片方の布体の水平区間中に、一対の面ファスナー（７）による、絞り式係止調整部（８）を設け、該絞り式係止調整部によって小型ＬＥＤライト（９）を挟んで所定の照射角度を保って支持し、帯巾が大きいもう片方の布体の水平区間中の表面に光を照射し、該水平区間中の表面と車の天井面とで乱反射させる間接照明（１０）とした請求項１記載の照明付きヘッドレストリフレクター。
【請求項３】
ＬＥＤランプ（１１）による照明機構（５）を帯状の布体（３）の外側表面に１又は複数個設けた請求項１又は２記載の照明付きヘッドレストリフレクター。
【請求項４】
帯状の布体（３）の左右の端部付近に表と裏を留めて袋状空間の大きさを絞る目的の、ホック等による１次張り調整機構（１２）を設けた請求項１又は２又は３記載の照明付きヘッドレストリフレクター。
【発明の詳細な説明】
【技術分野】
【０００１】  この発明は稀に起こる電気の減衰が心配な夜間路上での非常時に、パラシュートのようにパッと広げて左右のヘッドレストに被せて使用する、２次防災を目的とする照明付きヘッドレストリフレクターに関するものである。
【背景技術】
【０００２】  出願人は既にヘッドレストリフレクターを開発した。（特許文献１参照）
出願人は既に自動車のヘッドレスト用反射器に係る意匠を開発した。（特許文献２参照）
【先行技術文献】
【特許文献】
【０００３】
【特許文献１】特開第２０１６−１３５６６６号公報
【特許文献２】意匠登録第１５６７８８１号公報
【非特許文献１】
【発明の概要】
【発明が解決しようとする課題】
【０００４】  （イ）出願人が既に開発したヘッドレストリフレクター（１）は光の再帰反射機能のみである為、夜間の車の電気トラブルの場合は車内が暗くなってしまいリフレクターの取り付け時や車内での待機中最低限の明るさがなくて不便であった。
（ロ）出願人が既に開発したヘッドレストリフレクター（１）は光の再帰反射機能のみである為、被サイン者の位置や光の強さの限定が生じてしまう課題があった。
【課題を解決するための手段】
【０００５】  自動車の左右の座席のヘッドレストにそれぞれ帽子のように袋を被せて引っ掛け渡した格好で装着可能な、図に於いて左右一対の、袋状空間（２）を持つ、帯状の布体（３）であって、該布体の外側表面に設けた、再帰性反射材（４）と該布体の一部分に設けた、照明手段（５）から構成される照明付きヘッドレストリフレクター。【０００６】  照明機構（５）を、帯状の布体（３）の中間部分である、平行する２ルートの布体部分による２次張り調整機構（６）の帯巾が小さい片方の布体の水平区間中に、一対の面ファスナー（７）による、絞り式係止調整部（８）を設け、該絞り式係止調整部によって、小型ＬＥＤライト（９）を挟んで所定の照射角度を保って支持し、帯巾が大きいもう片方の布体の水平区間中の表面に光を照射し、該水平区間中の表面と車の天井面とで乱反射させる、間接照明（１０）とした請求項２記載の照明付きヘッドレストリフレクター。【０００７】  ＬＥＤランプ（１１）による、照明機構（５）を帯状の布体（３）の外側表面に１又は複数個設けた請求項３記載の照明付きヘッドレストリフレクター。【０００８】  帯状の布体（３）の左右の端部付近に表と裏を留めて袋状空間の大きさを絞る目的の、ホック等による１次張り調整機構（１２）を設けた請求項４記載の照明付きヘッドレストリフレクター。【０００９】  本発明は以上の４項の構成から成る照明付きヘッドレストリフレクターである。
【発明の効果】
【００１０】（イ）リフレクターの取り付け時や車内での待機中最低限の明るさが得られて便利であり、間接照明としたタイプの本発明は、ヘッドレストリフレクター（１）の本体の形状をそのまま合理的に利用して運転席に安定したやわらかい光での間接照明を提供できる。また、間接照明に利用する小型ＬＥＤライトは懐中電灯としての独立性も持ち、非常時に於いて臨機応変に使用できる便利さを持っている。
（ロ）帯状の布体（３）の表面にＬＥＤライトを配列したタイプの本発明は従来のヘッドレストリフレクター（１）の被サイン者の位置や光の強さの限定が生じてしまう課題を解決して便利である。
特に濃霧時、悪天候時には車に付いている、ランプ、反射器及び本発明の再帰反射部分に加えて後続車からの視認性を向上させる効果がある。【００１１】  本発明は稀に起こる電気の減衰が心配な夜間路上での非常時に、パラシュートのようにパッと広げて左右のヘッドレストに被せて使用する照明機構付きの２次防災用再帰反射リフレクターである。
車内間接照明の使用方法は、小型ＬＥＤライトを絞り式係止調整部（８）部分内側の筒状ゴムバンド（１３）に通し、ライトの角度を調整しながら面ファスナーでライトを挟み込んで固定する。そのときライトの重みでライトの照射方向側が若干上を向く格好になるのでそれも見込んで調整取り付けを行う。
間接照明に利用する小型ＬＥＤライトは懐中電灯としての独立性も持つので、非常時には臨機応変に外して使用できる。
【図面の簡単な説明】
【００１２】
【図１】  実施例１に係る本発明の正面側から見た説明斜視図
【図２】  実施例１に係る本発明の正面側から見た構造説明図
【図３】  実施例１に係る本発明の背面側から見た説明斜視図、
【図４】  実施例１又は実施例２に係る本発明のヘッドレストに装着した状態を示す説明図
【発明を実施するための形態】
【００１３】  以下、本発明を実施するための最良の形態について説明する。
【００１４】  自動車の左右の座席のヘッドレストにそれぞれ帽子のように袋を被せて引っ掛け渡した格好で装着可能な、図に於いて左右一対の、袋状空間（２）を持つ、帯状の布体（３）であって、該布体の外側表面に設けた、再帰性反射材（４）と該布体の一部分に設けた、照明機構（５）から構成される。
【００１５】  照明機構（５）を、帯状の布体（３）の中間部分である、平行する２ルートの布体部分による２次張り調整機構（６）の帯巾が小さい片方の布体の水平区間中に、一対の面ファスナー（７）による、絞り式係止調整部（８）を設け、該絞り式係止調整部によって、小型ＬＥＤライト（９）挟んで所定の照射角度を保って支持し、帯巾が大きいもう片方の布体の水平区間中の表面に光を照射し、該水平区間中の表面と車の天井面とで乱反射させる、間接照明（１０）としている。
【００１６】  ＬＥＤランプ（１１）による、照明機構（５）を、帯状の布体（３）の外側表面に１又は複数個設けている。
【００１７】  帯状の布体（３）の左右の端部付近に表と裏を留めて袋状空間の大きさを絞る目的の、ホック等による１次張り調整機構（１２）を設けている。
【００１８】  （本発明実施例の効果）
本発明各実施例の効果は前記〔発明の効果〕で述べた通りである。
【実施例】
【実施例１】
【００１９】  図１、図２、図４は本発明の実施例１に係る照明付きヘッドレストリフレクターを示す図面であり、図１は正面側から見た説明斜視図、図２は正面側から見た構造説明図、図４はヘッドレストに装着した状態を示す説明図である。【００２０】  自動車の左右の座席のヘッドレストにそれぞれ帽子のように袋を被せて引っ掛け渡した格好で装着可能な、図に於いて左右一対の、袋状空間（２）を持つ、帯状の布体（３）であって、該布体の外側表面に設けた、再帰性反射材（４）と該布体の一部分に設けた、照明機構（５）から構成される。【００２１】  照明機構（５）を、帯状の布体（３）の中間部分である、平行する２ルートの布体部分による２次張り調整機構（６）の帯巾が小さい片方の布体の水平区間中に、一対の面ファスナー（７）による、絞り式係止調整部（８）を設け、該絞り式係止調整部によって、小型ＬＥＤライト（９）を挟んで所定の照射角度を保って支持し、帯巾が大きいもう片方の布体の水平区間中の表面に光を照射し、該水平区間中の表面と車の天井面とで乱反射させる、間接照明（１０）としている。
本発明の帯状の布体本体はポリエステルの薄布素材を使用しているが、平行する２ルートの布体部分による２次張り調整機構（６）の帯巾が大きい布体の表面は光が当たって光が拡散する部分であるので、その部分は光の乱反射性が良く、適度な張り、弾性をもつ白色の布を使用している。【００２２】  帯状の布体（３）の左右の端部付近に表と裏を留めて袋状空間の大きさを絞る目的の、ホック等による１次張り調整機構（１２）をそれぞれに設けている。
ホックの代わりに面ファスナー等の係止方法でもよい。
軽自動車、小型車、普通車と大きさの異なる自動車が存在するが、左右のヘッドレスト間の外−外寸法もそれらの自動車の大きさにほぼ比例して外−外寸法が異なる。
各メーカーの各車間での微妙なカーデザインの違いにより皆外−外寸法が異なっている。
同じ１台の自動車においても左右の座席の角度の違い、前後の位置のズレ、ヘッドレストの伸ばし加減などによってまた、外−外寸法が異なってくる。
これらの外−外寸法の異なりに対して照明付きヘッドレストリフレクターの装着状態を状況に応じて常に最適化するために、従来のヘッドレストリフレクターの、平行する２ルートの布体部分による２次張り調整機構（６）だけでは調整巾が大きすぎて間接照明の照明器具体として利用する本体形状を保護するため、予め左右の端部付近に表と裏を留めて袋状空間の大きさを絞ることによる、ホック等による１次張り調整機構（１２）を加えた。
該１次張り調整のパターンは、左右共留めない―左右のいづれかを留める―左右共留めるの３パターンである。これにより、大まかな調整を先に行う。
これによって、間接照明としての所定の形状を大きく崩すことなく使用でき、本発明の目的を達成することができる。
【実施例２】
【００２３】  図３、図４は本発明の実施例２に係る照明付きヘッドレストリフレクターを示す図面であり、図３は背面側から見た説明斜視図、図４はヘッドレストに装着した状態を示す説明図である。【００２４】  実施例２に係る本発明は実施例１に係る本発明とほとんど同じであるが、小型ＬＥＤランプを使った間接照明の照明機構に替えてＬＥＤランプを使用した照明機構を帯状の布体の外側表面に１又は複数個設けている点に違いがある。
実施例２では面発光ＬＥＤランプを多数個並べて設けていて、電源を自動車のシガーソケットからとるようにシガーソケット用端子付き電気コード（１４）を設けている。
補助サイン的に使用して濃霧時、悪天候時に後続車に自車の存在を知らせて追突事故を防ぐことを目的としているのでＬＥＤランプは超高輝度の面発光フラットＬＥＤを使用している。発光色は波長の長い赤又は黄色が好ましい。
【符号の説明】
【００２５】１  ヘッドレストリフレクター
２  袋状空間
３  帯状の布体
４  再帰性反射材
５  照明機構
６  平行する２ルートの布体部分による２次張り調整機構
７  一対の面ファスナー
８  絞り式係止調整部
９  小型ＬＥＤライト
１０  間接照明
１１  ＬＥＤランプ
１２  ホック等による１次張り調整機構
１３  筒状ゴムバンド
１４  シガーソケット用端子付き電気コード
１５  シガーソケット
【図１】
2018131191.tif 000003
【図２】
2018131191.tif 000004
【図３】
2018131191.tif 000005
【図４】
2018131191.tif 000006